(57)【特許請求の範囲】
【請求項１】
電線を一端開口したスリットに圧接接続する圧接部を備えたばね性を有する導電板からなり、前記電線が前記スリットにその開口から挿入して取付けられる圧接端子において、
前記圧接部は、
幅方向略中央に一端を開口し、かつ、取付けられる前記電線の径よりも幅広に形成されたＵ字状スリットを設けた固定端子部と、前記固定端子部の一端からＵ字状に折返し曲げ形成された曲げ部で連結され、弾性変形が可能であって、前記Ｕ字状スリットに対して徐々に重ねて配置される内側端面側部位を有した可動端子部とを備え、
前記Ｕ字状スリットを幅方向から見て、前記Ｕ字状スリットと前記可動端子部の内側端面との間のスリット幅が、前記取付けられる電線の径よりも幅広の前記一端の開口から奥に行くほど幅狭となるとともに、前記スリット幅の奥側を前記取付けられる電線の径よりも幅狭としたことを特徴とする圧接端子。
【請求項２】
電線を一端開口したスリットに圧接接続する圧接部を備えたばね性を有する導電板からなり、前記電線が前記スリットにその開口から挿入して取付けられる圧接端子において、
前記圧接部は、
固定端子部と、この固定端子部の一端からＵ字状に折返し曲げ形成され曲げ部で連結された弾性変形が可能な可動端子部と備え、
前記固定端子部には、幅方向略中央に一端を開口し、かつ、前記取付けられる電線の径よりも幅広に形成されたＵ字状スリットを設けるとともに、
前記可動端子部にも、前記固定端子部のＵ字状スリットに対向させて幅方向略中央に一端を開口し、かつ、前記取付けられる電線の径よりも幅広に形成されたＵ字状スリットを設け、前記両Ｕ字状スリットを幅方向から見て、前記可動端子部のＵ字状スリットが前記固定端子部のＵ字状スリットに対して徐々に重なるように配置される内側端面側部位を前記可動端子部が有し、
前記両Ｕ字状スリットを幅方向から見て、前記固定端子部のＵ字状スリットと前記可動端子部の内側端面との間のスリット幅が、前記取付けられる電線の径よりも幅広の前記一端の開口から奥に行くほど幅狭となるとともに、前記スリット幅の奥側が前記取付けられる電線の径よりも幅狭となるように、前記両Ｕ字状スリットを幅方向に互いにずらして配置したことを特徴とする圧接端子。
【請求項３】
前記固定端子部若しくは可動端子部のＵ字状スリットの一部に凸状ストッパーを設け、この凸状ストッパーにより、圧接接続される電線の線径より幅狭な幅狭部を前記Ｕ字状スリットと前記可動端子部の内側端面との間のスリット幅内に形成したことを特徴とする請求項１記載又は請求項２記載の圧接端子。
【請求項４】
前記可動端子部は、外力により前記圧接部に圧接接続された電線をリリース可能な方向に弾性変形することを特徴とする請求項１から３の内のいずれか一項に記載の圧接端子。
【請求項５】
電線が接続される接続端子を具備する配線器具であって、前記接続端子が請求項１から４の内のいずれか一項に記載の圧接端子であることを特徴とする配線器具。
【発明の詳細な説明】
【０００１】
【発明の属する技術分野】
本発明は、照明器具などの配線器具などに使用される電線を圧接接続するＵ字状スリットを備えた圧接部を有する圧接端子および当該圧接端子を具備した配線器具に関する。
【０００２】
【従来の技術】
従来、照明器具などの配線器具に使用されるこの種の圧接端子の圧接部は、ばね性と導電性を有する導電板を１８０度折返し曲げして略Ｕ字状に形成し曲げ部で連結された固定端子部と可動端子部とを備えている。
【０００３】
さらに、固定端子部の幅方向中央と可動端子部の幅方向中央とには、曲げ部を介して連通したＵ字状スリットがそれぞれ穿設されている。また、固定端子部と可動端子部に穿設されているＵ字状スリットの幅は、当該Ｕ字状スリットに圧接接続される電線径より幅狭に形成されている。
【０００４】
さらに、Ｕ字状スリットの下方開口である曲げ部には、接続される電線が挿入容易なように電線径より大きく面取りが施されている。なお、固定端子部の幅方向中央に穿設したＵ字状スリットの中心は、可動端子部の幅方向中央に穿設したＵ字状スリットの中心と一致する形状に形成されている。
【０００５】
【発明が解決しようとする課題】
上記のように従来の照明器具などの配線器具に使用される圧接端子は、当該圧接端子の圧接部に穿設されているＵ字状スリット幅が、当該Ｕ字状スリットに接続される電線径より幅狭に形成されていることから、電線を圧接端子のＵ字状スリットに圧接接続する際の圧接力が、非常に強いため、取付工具としての圧接工具を、必ず、使用しなければならないという問題があった。
【０００６】
さらに、電線を圧接部に圧接接続した状態では、圧接力が非常に強いため、圧接端子への応力が非常に大きく、長期間使用した場合、圧接端子が変形したり、破壊するなどの恐れがあるという問題があった。
【０００７】
また、電線に捩じれ力が加わると、圧接部のＵ字状スリットが変形し、電線がＵ字状スリットから抜け落ちる恐れがあるという問題があった。
【０００８】
さらに、異なる電線径の電線を圧接接続する圧接端子では、電線径より幅狭に形成された異なる幅のスリットを直列に段階状に形成しなければならない。
【０００９】
このため、圧接端子の圧接部は長手方向に長くなることから、圧接端子の形状が大きくなるという問題があった。
【００１０】
本発明は上記の点に鑑みてなされたもので、取付工具を必要とすることなく、電線を圧接接続するとともに、圧接端子の形状を大きくすることなく電線径のことなる電線を圧接接続可能とした圧接端子および当該圧接端子を具備した配線器具を提供することを課題とする。
【００１１】
【課題を解決するための手段】
前記課題を達成するために、請求項１記載に係る本発明の圧接端子は、電線を一端開口したスリットに圧接接続する圧接部を備えたばね性を有する導電板からなり、前記電線が前記スリットにその開口から挿入して取付けられる圧接端子において、前記圧接部は、幅方向略中央に一端を開口し、かつ、取付けられる前記電線の径よりも幅広に形成されたＵ字状スリットを設けた固定端子部と、前記固定端子部の一端からＵ字状に折返し曲げ形成された曲げ部で連結され、弾性変形が可能であって、前記Ｕ字状スリットに対して徐々に重ねて配置される内側端面側部位を有した可動端子部とを備え、前記Ｕ字状スリットを幅方向から見て、前記Ｕ字状スリットと前記可動端子部の内側端面との間のスリット幅が、前記取付けられる電線の径よりも幅広の前記一端の開口から奥に行くほど幅狭となるとともに、前記スリット幅の奥側を前記取付けられる電線の径よりも幅狭としたことを特徴とするものである。
【００１２】
請求項２記載に係る本発明の圧接端子は、電線を一端開口したスリットに圧接接続する圧接部を備えたばね性を有する導電板からなり、前記電線が前記スリットにその開口から挿入して取付けられる圧接端子において、前記圧接部は、固定端子部と、この固定端子部の一端からＵ字状に折返し曲げ形成され曲げ部で連結された弾性変形が可能な可動端子部と備え、前記固定端子部には、幅方向略中央に一端を開口し、かつ、前記取付けられる電線の径よりも幅広に形成されたＵ字状スリットを設けるとともに、前記可動端子部にも、前記固定端子部のＵ字状スリットに対向させて幅方向略中央に一端を開口し、かつ、前記取付けられる電線の径よりも幅広に形成されたＵ字状スリットを設け、前記両Ｕ字状スリットを幅方向から見て、前記可動端子部のＵ字状スリットが前記固定端子部のＵ字状スリットに対して徐々に重なるように配置される内側端面側部位を前記可動端子部が有し、前記両Ｕ字状スリットを幅方向から見て、前記固定端子部のＵ字状スリットと前記可動端子部の内側端面との間のスリット幅が、前記取付けられる電線の径よりも幅広の前記一端の開口から奥に行くほど幅狭となるとともに、前記スリット幅の奥側が前記取付けられる電線の径よりも幅狭となるように、前記両Ｕ字状スリットを幅方向に互いにずらして配置したことを特徴とするものである。
【００１３】
請求項３記載に係る本発明の圧接端子は、前記固定端子部若しくは可動端子部のＵ字状スリットの一部に凸状ストッパーを設け、この凸状ストッパーにより、圧接接続される電線の線径より幅狭な幅狭部を前記Ｕ字状スリットと前記可動端子部の内側端面との間のスリット幅内に形成したことを特徴とするものである。
【００１４】
請求項４記載に係る本発明の圧接端子は、前記可動端子部は、外力により前記圧接部に圧接接続された電線をリリース可能な方向に弾性変形することを特徴とするものである。
【００１５】
請求項５記載に係る本発明の配線器具は、電線が接続される接続端子を具備する配線器具であって、前記接続端子が請求項１から４の内のいずれか一項に記載の圧接端子であることを特徴とするものである。
【００１６】
上記請求項１記載の構成において、可動端子部の内側端面側の一部を固定端子部の幅方向略中央に穿設したＵ字状スリットに対して、幅方向から見て一部重なる位置に設け、可動端子部の内側端面側と固定端子部に設けたＵ字状スリットとの間で電線を挟持し保持する構造としたものである。
【００１７】
請求項２記載の構成において、可動端子部にも、固定端子部に設けたＵ字状スリットと同様なＵ字状スリットを設け、幅方向から見て固定端子部のＵ字状スリットと可動端子部のＵ字状スリットとが一致しない位置に形成し、固定端子部のＵ字状スリットと可動端子部のＵ字状スリットとの間で電線を挟持し保持する構造としたものである。
【００１８】
請求項３記載の構成において、固定端子部のＵ字状スリットの一部又は可動端子部の端面の一部などに接続される電線の線径より幅狭な幅狭部を形成する凸状ストッパーを設け、圧接端子の圧接部に穿設されたＵ字状スリットより電線を抜け難くしたものである。
【００１９】
請求項４記載の構成において、電線をリリースする方向の外力を可動端子部に加え、当該可動端子部をリリース方向に弾性変形する形状にしたものである。
【００２０】
請求項５記載の配線器具は、請求項１ないし４項に記載の圧接端子を具備したものである。
【００２１】
【発明の実施の形態】
以下、照明器具などの配線器具で使われる本発明の実施の形態に係る圧接端子について、図１〜図６を参照して説明する。
【００２２】
最初に、本発明の第１実施の形態に係る圧接端子を図１を参照し説明する。
【００２３】
第１実施の形態に係る圧接端子１は、長手方向に矩形状をなすばね性を有する導電性からなる導電板を折曲げ形成したもので、先端側にＵ字状に１８０度に折曲げ形成された圧接部２と、当該圧接部２の後方上端から後方に向けて連設し設けられた取付部２０とから構成している。
【００２４】
取付部２０は、垂直に配置された圧接部２の後方上端から後方に向け水平に折曲げ形成された水平取付片部２１と、この水平取付片部２１の後端から上方に向け垂直に曲げ部２３を介して折曲げ形成された垂直取付片部２２とから構成している。
【００２５】
前記取付部の曲げ部２３幅方向中央には、折曲げ加工が容易なように、水平取付片部および垂直取付片部に架けてばか孔２４が穿設されている。さらに、水平取付片部２１の先端両側には、折曲げ加工が容易なように、矩形状の切欠き凹部２５，２５がそれぞれ形成されている。
【００２６】
圧接端子の圧接部２は、水平取付片部２１の先端から下方に向け垂直に大きなＲ状曲げ部を介して折曲げられるとともに、幅方向中央に下方開口した開口部５を有するＵ字状スリット４が穿設された矩形状の固定端子部３と、前記Ｕ字状スリット４の一方側の固定端子主部３ａから長手方向に延出形成された長方形の可動端子部１０を上方に向け当該可動端子部１０の内側端面１２が、当該可動端子部１０の裏面で固定端子部のＵ字状スリット４を、幅方向であるＡから見て、除々に重なるように曲げ部１３を介して１８０度折り返され略Ｕ字状に形成されている。
【００２７】
さらに、Ｕ字状スリット４の下方両側には、接続される電線が挿入容易なように、電線径より大きい面取り１４，１４がそれぞれ設けられている。また、固定端子部３に形成されているＵ字状スリット幅Ｄは、当該Ｕ字状スリットに取付けられる電線６０の径より幅広に形成されている。
【００２８】
電線６０を圧接端子１の圧接部２に圧接接続する際は、例えば、電線６０をＵ字状スリットの下方開口部５から上方に向け挿入していくと、可動端子部１０の先端が反時計方向に回動し、当該可動端子部１０を押し拡げながら取付けられ、この結果、電線６０は、可動端子部１０により、固定端子部のＵ字状スリット４の側面に圧接接続され、電線６０は可動端子部１０の内側端面と固定端子部のＵ字状スリット４により挟持される。
【００２９】
図２は第１実施の形態における他の圧接端子を示すもので、当該圧接端子１ａの圧接部２ａは、第１実施の形態と同一構成からなる幅方向中央に下方開口した開口部５を有するＵ字状スリット４が穿設された矩形状の固定端子部３と、当該Ｕ字状スリット４の一方側の固定端子主部３ａから長手方向に延出形成した長方形の可動端子部１０を上方に向け当該可動端子部１０の内側端面１２が、当該可動端子部１０の裏面で固定端子部のＵ字状スリット４の途中から、幅方向であるＡから見て、除々に重なるように曲げ部１３を介して１８０度折り返し曲げされ略Ｕ字状に形成されている。
【００３０】
同様に、固定端子部のＵ字状スリット４の他方側の固定端子主部３ｂから長手方向に延出形成した長方形の可動端子部１０を上方に向け、当該可動端子部１０の内側端面１２を、当該可動端子部１０の裏面で固定端子部のＵ字状スリット４を、幅方向であるＡから見て、除々に重さなりが少なくなるように曲げ部１３を介して１８０度折り返し曲げされ略Ｕ字状に形成されている。さらに、Ｕ字状スリット４の下方両側には、接続される電線が挿入容易なように、電線径より大きい面取り１４，１４がそれぞれ施されている。
【００３１】
電線６０を圧接端子１ａの圧接部２ａに圧接接続する際は、例えば、電線６０をＵ字状スリットの下方開口部５から上方に向け挿入していくと、一方側の可動端子部１０ａの先端が反時計方向に回動し、当該可動端子部１０ａを押し拡げながら取付けられる。この結果、電線６０は、一方側の可動端子部１０ａにより、固定端子部のＵ字状スリット４の側面に圧接接続される。なお、電線６０は、他方側の可動端子部１０ｂに引っ掛かることから下方に向けて抜け難い構造になっている。
【００３２】
図３は本発明の第２実施の形態に係る圧接端子を示すもので、第２実施の形態に係る圧接端子１ｂの圧接部２ｂは、取付部の水平取付片部２１の先端から下方に向けて大きなＲ状曲げ部を介して垂直に形成された矩形状の固定端子部３と、当該固定端子部３の下方端からＵ字状の曲げ部１３を介して前記固定端子部３と略平行で、且つ、斜め方向に多少捻って１８０度折り返し折り曲げられた矩形状の可動端子部１８とから構成されている。
【００３３】
さらに、固定端子部３の幅方向中央には、下方開口した開口部５を有するＵ字状スリット４が穿設されている。さらに、可動端子部１８にも、固定端子部３のＵ字状スリット４と同一形状からなる下方開口した開口部５を有するＵ字状スリット４ａが穿設されるとともに、Ｕ字状の曲げ部１３には、固定端子部のＵ字状スリット４と可動端子部のＵ字状スリット４ａと連通するスリット６が連続形成され、このスリット６の開口端には、接続される電線が挿入容易なように、面取り１４，１４がそれぞれ施されている。
【００３４】
固定端子部３と可動端子部１８とは、多少捻って曲げ部１３を介して略Ｕ字状に折り曲げ形成されていることから、図３（Ｂ）に示すように、可動端子部１８のＵ字状スリット４ａは、固定端子部３のＵ字状スリット４に対して、幅方向であるＡから見て、除々に重なるように曲げ部を介して折曲げ形成されている。なお、可動端子部１８のＵ字状スリット４ａ幅と固定端子部３のＵ字状スリット４幅は、電線径より幅広にそれぞれ形成されている。
【００３５】
電線を圧接部２ｂに圧接接続する際は、例えば、電線をＵ字状スリットの下方開口から上方に向け挿入していくと、可動端子部１８の先端が時計方向に回動し、当該固定端子部のＵ字状スリット４に圧接接続される。
【００３６】
本発明の第３実施の形態に係る圧接端子を図４〜図６を参照し説明する。
【００３７】
図４は第１実施の形態に係る圧接端子の可動端子部にストッパーを設けたもので、可動端子部１０の内側端面１２に、接続される電線の線径より幅狭な幅狭部３５を形成する凸状ストッパー３０を突出形成したものである。なお、凸状ストッパーは、固定端子のＵ字状スリットの内側端面に設けたものであってもよい。
【００３８】
図５は第１実施の形態に係る他の圧接端子の可動端子部にストッパーを設けたもので、対向し形成された一対の可動端子部１０，１０の内側端面１２，１２に接続される電線の線径より幅狭な幅狭部３５ｂを形成する凸状ストッパー３０，３０を突出形成したものである。なお、凸状ストッパーは、固定端子部のＵ字状スリットの内側端面に設けたものであってもよい。また、凸状ストッパーは、一方側の可動端子部又は固定端子部のＵ字状スリットの一方側端面にのみ形成したものであってもよい。
【００３９】
図６は第２実施の形態に係る圧接端子の可動端子部にストッパーを設けたもので、可動端子部１８のＵ字状スリット４ａの一方側端面又は両側端面に、接続される電線の線径より幅狭な幅狭部３５ｃを形成する凸状ストッパー３０を突出形成したものである。なお、凸状ストッパーは、固定端子部のＵ字状スリットの内側端面に設けたものであってもよい。
【００４０】
次に上記実施の形態に係る圧接端子の作用を説明する。
【００４１】
請求項１記載の構成において、可動端子部の内側端面の一部を固定端子部の幅方向中央に穿設したＵ字状スリットに対して、幅方向から見て重なる位置に設け、可動端子部の内側端面と固定端子部に設けたＵ字状スリットとの間で電線を挟持し保持する構造としたので、従来の圧接端子に比べ、電線接続時の急激な圧接応力をなくすことができる。さらに、圧接力は可動端子を設けたことで低減でき、圧接工具なしでも、接続可能である。
【００４２】
また、接続された電線に捩じれ力が働いても、保持部であるＵ字状スリットは、そせい変形せずに、可動端子部の弾性変形で吸収できるので、電線は抜けることはない。
【００４３】
さらに、外形を大きくすることなく、異なる電線を保持する圧接端子を得ることが可能である。
【００４４】
請求項２記載の構成において、可動端子部にも、固定端子部に設けたＵ字状スリットと同様なＵ字状スリットを設け、幅方向から見て固定端子部のＵ字状スリットと可動端子部のＵ字状スリットとが一致しない位置に形成し、固定端子部のＵ字状スリットと可動端子部のＵ字状スリットとの間で電線を挟持し保持する構造としたので、電線を、一方側の可動端子部により固定端子部のＵ字状スリットの側面に圧接接続することができる。
【００４５】
請求項３記載の構成において、固定端子部のＵ字状スリットの一部又は可動端子部の端面の一部などに、接続される電線の線径より幅狭な幅狭部を形成する凸状ストッパーを設けたので、圧接端子の圧接部に穿設されたＵ字状スリットより電線が抜け難くなる。
【００４６】
請求項４記載の構成において、可動端子部に外部から電線をリリースする方向に外力を加え、当該可動端子部をリリース方向に弾性変形する形状にしたので、専用工具なしで、電線の取り外しが可能である。
【００４７】
請求項５に記載したように、配線器具（図示せず）に当該発明に係る電線が接続される請求項１ないし４項に記載の圧接端子である接続端子を具備したものであってもよい。
【００４８】
【発明の効果】
以上詳記したように請求項１記載〜請求項２記載の本発明によれば、可動端子部の内側端面の一部を固定端子部の幅方向略中央に穿設したＵ字状スリットに対して一部重なる位置に設け、可動端子部の内側端面と固定端子部に設けたＵ字状スリットとの間で挟持し電線を保持する構造としたので、以下の効果を奏する。
【００４９】
第１に、電線を圧接部に圧接接続した際、圧接端子への内部応力が低減するので、長期間使用した場合でも、圧接端子が変形したり、破壊する等の恐れは生じない。
【００５０】
第２に、電線を圧接部に圧接接続する際、圧接力の低減により、専用工具なしでも接続可能となる。
【００５１】
第３に、圧接端子の形状を大きくすることなく、異なる径の電線を圧接端子の圧接部に確実に接続可能となる。
【００５２】
第４に、接続された電線に捩じれ力が働いても、可動端子の弾性変形で吸収できるので、圧接端子の圧接部はそせい変形せず、確実に、電線は圧接端子の圧接部に接続可能となる。
【００５３】
請求項３記載の本発明によれば、固定端子部のＵ字状スリット又は可動端子部のＵ字状スリットに、圧接部に接続される電線の線径より幅狭部を形成する凸状ストッパーを設けたので、圧接部に圧接接続した電線が抜け難くなる。
【００５４】
請求項４記載の本発明によれば、外力により圧接部に圧接接続される電線をリリース可能な方向に可動端子部を弾性変形可能にしたので、専用工具なしで、電線の取り外しが可能である。
【００５５】
請求項５記載の本発明によれば、接続端子が請求項１ないし４項に記載の圧接端子を具備する配線器具である。
【図面の簡単な説明】
【図１】本発明の第１実施の形態に係る圧接端子を示すもので、
（Ａ）は斜視図を示す。  （Ｂ）は側面図を示す。
【図２】同上第１実施の形態における他の圧接端子を示すもので、
（Ａ）は斜視図を示す。  （Ｂ）は側面図を示す。
【図３】本発明の第２実施の形態に係る圧接端子を示すもので、
（Ａ）は斜視図を示す。
（Ｂ）は側面図を示す。
（Ｃ）は正面図を示す。
【図４】本発明の第３実施の形態に係る圧接端子を示すもので、
（Ａ）は第１実施の形態に係る圧接端子に凸状ストッパーを設けた圧接端子を示す斜視図。
（Ｂ）は第１実施の形態に係る圧接端子に凸状ストッパーを設けた圧接端子を示す側面図。
【図５】本発明の第３実施の形態に係る圧接端子を示すもので、
（Ａ）は第１実施の形態に係る他の圧接端子に凸状ストッパーを設けた圧接端子を示す斜視図。
（Ｂ）は第１実施の形態に係る他の圧接端子に凸状ストッパーを設けた圧接端子を示す側面図。
【図６】本発明の第３実施の形態に係る圧接端子を示すもので、
（Ａ）は第２実施の形態に係る圧接端子に凸状ストッパーを設けた圧接端子を示す斜視図。
（Ｂ）は第２実施の形態に係る圧接端子に凸状ストッパーを設けた圧接端子を示す側面図。
（Ｃ）は第２実施の形態に係る圧接端子に凸状ストッパーを設けた圧接端子を示す正面図。
【符号の説明】
２…圧接部，
２ａ…圧接部，
２ｂ…圧接部，
３…固定端子部，
４…Ｕ字状スリット，
４ａ…Ｕ字状スリット，
１０…可動端子部，
１２…内側端面，
１３…曲げ部，
１８…可動端子部，
３０…凸状ストッパー，
３５…幅狭部，
３５ｂ…幅狭部，
３５ｃ…幅狭部。
【図１】
0003750399.tif 000002
【図２】
0003750399.tif 000003
【図３】
0003750399.tif 000004
【図４】
0003750399.tif 000005
【図５】
0003750399.tif 000006
【図６】
0003750399.tif 000007